(57)【要約】【課題】予約録画装置において、ユーザによるダビング作業と録画予約時間とが重なった場合でも予約された番組を支障なく録画する。【解決手段】信号処理部により圧縮処理されたテレビジョン放送信号を記録するハードディスクレコーダと、リエンコードダビング時に再圧縮処理されたテレビジョン放送信号を記録する光ディスクレコーダと、信号処理部を介さずにテレビジョン放送信号を記録する磁気テープ録画装置を備える予約録画装置において、録画予約が設定されており（Ｓ１でＹＥＳ）、録画開始時刻が接近したときに（Ｓ２でＹＥＳ）、信号処理部が圧縮処理動作中であるか否かを判定する（Ｓ３）。処理動作中である場合には（Ｓ３でＹＥＳ）、録画先の装置を磁気テープ録画装置に変更して（Ｓ４）、予約録画を開始する（Ｓ５）。録画開始時に信号の圧縮処理が行えない状態であっても、予約された番組は磁気テープ録画装置によって磁気テープに録画される。【選択図】図２
2010268317.tif 000002
【特許請求の範囲】
【請求項１】
テレビジョン放送信号に対する圧縮処理と、圧縮処理後のテレビジョン放送信号に対する再圧縮処理とを行う信号処理部と、
前記信号処理部により圧縮処理されたテレビジョン放送信号をディジタル形式で記録する第１の録画装置と、
前記第１の録画装置に記録されたテレビジョン放送信号を前記信号処理部により再圧縮処理した信号を記録する第２の録画装置と、
テレビジョン放送信号を前記信号処理部を介さずにアナログ形式で記録する第３の録画装置と、
テレビジョン放送信号をユーザが設定した予約時刻に前記第１の録画装置へ記録開始させる予約録画実行手段と、を備える予約録画装置において、
前記予約録画実行手段による記録が開始される前に、前記信号処理部が処理動作中であるか否かを判定する判定手段と、
前記判定手段により前記信号処理部が処理動作中であると判定した場合に、予約時刻に到達したときの前記予約録画実行手段によるテレビジョン放送信号の記録先の装置を前記第３の録画装置に変更する録画先変更手段と、をさらに備えることを特徴とする予約録画装置。
【請求項２】
前記第３の録画装置が磁気テープ録画装置であることを特徴とする請求項１に記載の予約録画装置。
【請求項３】
前記第１の録画装置及び前記第２の録画装置の一方がハードディスクレコーダであり、他方が光ディスクレコーダであることを特徴とする請求項１又は請求項２に記載の予約録画装置。
【発明の詳細な説明】
【技術分野】
【０００１】
本発明は、予約録画装置に関し、特にハードディスクレコーダ、光ディスクレコーダ、磁気テープ録画装置等の複数の録画装置を備えた予約録画装置に関する。
【背景技術】
【０００２】
従来から、信号処理部により圧縮処理されたテレビジョン放送信号をディジタル形式で記録するハードディスクレコーダ及び光ディスクレコーダと、圧縮処理されていないテレビジョン放送信号をアナログ形式で記録する磁気テープ録画装置とを備えた複合型の録画装置が知られている（例えば、特許文献１参照）。特許文献１に記載の装置は、ハードディスクレコーダ又は光ディスクレコーダに記録されたテレビジョン放送信号を他方の録画装置へダビングするときに、光ディスクの回転による振動によって磁気テープ録画装置の記録／再生性能が低下されることを防止するために、光ディスクの回転を制限するようになっている。
【０００３】
また、複数の録画装置を備えた予約録画装置において、ユーザにより当初設定された録画装置の残容量が不足するときには、録画先を変更した上で予約録画を開始するものが知られている（例えば、特許文献２参照）。
【先行技術文献】
【特許文献】
【０００４】
【特許文献１】特開２００７−８０３１７号公報
【特許文献２】特開２００６−２１１５９２号公報
【発明の概要】
【発明が解決しようとする課題】
【０００５】
ところで、ハードディスクレコーダを含む複数の録画装置を備えた予約録画装置の場合には、ユーザは、録画媒体の挿入が不要であり、録画された番組の編集・管理が容易であることから、通常、予約録画時の録画先としてハードディスクレコーダを選択する。そして、ユーザは、事後においてハードディスクレコーダに録画した複数の番組のうち保存したいものについて、光ディスクレコーダに光ディスクを挿入したうえで該光ディスクへのダビングを行う。
【０００６】
上記ダビングには、画質を低下させることはないがダビング先である光ディスクに比較的大きな記録領域を必要とする高速ダビングと、画質は低下するが光ディスクにおける記録領域の節約を図ることができるリエンコードダビング（等速ダビング）の２種類がある。後者のリエンコードダビングでは、ハードディスクレコーダに記録されたテレビジョン放送信号が信号処理部により再圧縮された上で光ディスクに記録される。
【０００７】
ところが、上記ダビング作業はユーザが任意の時間に行うことから、ダビング作業と、録画予約時間とが偶然重なって予約録画が実行されない場合があった。具体的には、ユーザが、予約録画が設定されていることに気付かずに、又は録画予約時間を確認せずに上記リエンコードダビングによるダビング作業を開始した場合に、そのダビング実行中に予約録画の開始時刻に到達したとき、信号処理部はリエンコードダビングのための再圧縮処理を実行しているので、受信中のテレビジョン放送信号に対する圧縮処理を行うことができず、予約録画がキャンセルとなった。
【０００８】
ユーザがリエンコードダビングによるダビング作業を開始してから録画予約時間が近づいていることに偶然気付いた場合には、ダビング作業を途中で中止すれば、録画予約が支障なく開始されるが、この場合には、ユーザは、事後において、ダビング作業を最初からやり直さねばならない上に、中断するまでに光ディスク上にダビングされた放送信号を消去する作業を行わなければならない。
【０００９】
そこで、本発明は、上記課題を解決するものであり、ユーザによるダビング作業と録画予約時間とが偶然重なって、録画予約の開始時に信号処理部によるテレビジョン放送信号の圧縮処理が行えない状態であっても、予約された番組を支障なく録画することができる予約録画装置を提供することを目的とする。
【課題を解決するための手段】
【００１０】
上記課題を解決するために、請求項１の発明は、テレビジョン放送信号に対する圧縮処理と、圧縮処理後のテレビジョン放送信号に対する再圧縮処理とを行う信号処理部と、前記信号処理部により圧縮処理されたテレビジョン放送信号をディジタル形式で記録する第１の録画装置と、前記第１の録画装置に記録されたテレビジョン放送信号を前記信号処理部により再圧縮処理した信号を記録する第２の録画装置と、テレビジョン放送信号を前記信号処理部を介さずにアナログ形式で記録する第３の録画装置と、テレビジョン放送信号をユーザが設定した予約時刻に前記第１の録画装置へ記録開始させる予約録画実行手段と、を備える予約録画装置において、前記予約録画実行手段による記録が開始される前に、前記信号処理部が処理動作中であるか否かを判定する判定手段と、前記判定手段により前記信号処理部が処理動作中であると判定した場合に、予約時刻に到達したときの前記予約録画実行手段によるテレビジョン放送信号の記録先の装置を前記第３の録画装置に変更する録画先変更手段と、をさらに備えることを特徴とする。
【００１１】
請求項２の発明は、請求項１の発明において、前記第３の録画装置が磁気テープ録画装置であることを特徴とする。
【００１２】
請求項３の発明は、請求項１又は請求項２の発明において、前記第１の録画装置及び前記第２の録画装置の一方がハードディスクレコーダであり、他方が光ディスクレコーダであることを特徴とする。
【発明の効果】
【００１３】
請求項１の発明によれば、予約録画が開始される前に信号処理部が処理動作中であるか否かを判定し、処理動作中である場合には録画先の装置を、テレビジョン放送信号を圧縮処理することなく記録する第３の録画装置へ変更するので、ユーザによるダビング作業と録画予約時間とが偶然重なって、予約録画の開始時に信号処理部によるテレビジョン放送信号の圧縮処理が行えない状態であっても、予約された番組を支障なく記録（録画）することができる。
【００１４】
請求項２の発明によれば、第３の録画装置が磁気テープ録画装置であるので、予約された番組をアナログ形式で確実に記録することができる。
【００１５】
請求項３の発明によれば、第１の録画装置及び第２の録画装置の一方がハードディスクレコーダであり、他方が光ディスクレコーダであるので、受信したテレビジョン放送信号をハードディスクレコーダにディジタル形式で確実に記録することができ、ハードディスクレコーダに記録されたテレビジョン放送信号を光ディスクレコーダへディジタル形式で確実にダビング記録することができる。
【図面の簡単な説明】
【００１６】
【図１】本発明の一実施形態に係る予約録画装置のブロック図。
【図２】同予約録画装置における録画処理手順のフローチャート。
【発明を実施するための形態】
【００１７】
以下、本発明の一実施形態に係る予約録画装置について、図１と図２を参照して説明する。本実施形態の予約録画装置１は、図１に示されるように、テレビジョン放送信号を受信する受信部２と、受信部２が受信したテレビジョン放送信号に対する圧縮処理と、圧縮処理後のテレビジョン放送信号に対する再圧縮処理とを行う信号処理部３と、圧縮処理されたテレビジョン放送信号をディジタル形式で記録するハードディスクレコーダ（第１の録画装置）４と、再圧縮処理されたテレビジョン放送信号をディジタル形式で記録する光ディスクレコーダ（第２の録画装置）５と、テレビジョン放送信号を信号処理部３を介さずにアナログ形式で記録する磁気テープ録画装置（第３の録画装置）６と、を備える。光ディスクレコーダ５には記録媒体としてＤＶＤ（Digital Versatile Disc）７が挿入され、磁気テープ録画装置６には磁気テープカセット８が挿入される。
【００１８】
受信部２はアナログチューナからなり、出力端には、受信したテレビジョン放送信号の出力を信号処理部３に接続した状態（以下、Ａ状態という）と、磁気テープ録画装置６に接続した状態（以下、Ｂ状態という）との２つの状態間で切替えるスイッチ９が備えられる。図１において、Ａ状態を実線で示し、Ｂ状態を二点鎖線で示す。
【００１９】
信号処理部３は、受信部２から入力されるテレビジョン放送信号をディジタル化するＡ／Ｄ変換器３ａと、ＭＰＥＧエンコーダ３１及びＭＰＥＧデコーダ３２からなる圧縮・伸長器３ｂと、テレビジョン放送信号を外部に接続されたテレビジョン受像機等のモニタ装置１１へアナログ形式の映像・音声信号に変換して出力するためのＤ／Ａ変換器３ｃと、を備える。
【００２０】
ＭＰＥＧエンコーダ３１は、ディジタル化されたテレビジョン放送信号をハードディスクレコーダ４（のハードディスク）へ記録するための圧縮処理と、圧縮処理されてハードディスクレコーダ４に記録されたテレビジョン放送信号を光ディスクレコーダ５（のＤＶＤ７）へリエンコードダビングするための再圧縮処理を行う。ＭＰＥＧデコーダ３２は、ハードディスクレコーダ４（のハードディスク）及び光ディスクレコーダ５（のＤＶＤ７）に記録されたテレビジョン放送信号を伸長処理する。
【００２１】
また、予約録画装置１は、ハードディスクレコーダ４、光ディスクレコーダ５、磁気テープ録画装置６、及び信号処理部３の動作を統括して制御すると共に、スイッチ９の切替えを制御するマイクロプロセッサ（予約録画実行手段、判定手段、録画先変更手段）１２を備える。マイクロプロセッサ１２は、赤外線受光部１３を介して受信するリモコン１４からの指令信号に応じて本予約録画装置１に各種の動作を行わせる。
【００２２】
例えば、ユーザが録画予約をするときには、マイクロプロセッサ１２は、モニタ装置１１に録画予約のための入力画面（図１参照）を表示させ、ユーザがリモコン１４を操作して入力した録画日、録画開始時刻、録画終了時刻、チャンネルをＲＡＭ１２ａに記憶する。本予約録画装置１では、予約録画時の記録先の録画装置はハードディスクレコーダ４に固定されている。上記のようにして録画予約が設定された後、マイクロプロセッサ１２は、受信部２による受信チャンネルを設定されたチャンネルに切替えると共にスイッチ９をＡ状態に切替え、タイマ１２ｂにより計時される現在時刻が録画開始時刻に到達したときに、受信部２から出力されるテレビジョン放送信号を信号処理部３により圧縮処理させてハードディスクレコーダ４（のハードディスク）に記録させる。
【００２３】
ユーザがハードディスクレコーダ４に記録されたテレビジョン放送信号を番組としてモニタ装置１１で視聴するときには、マイクロプロセッサ１２は、ユーザが操作するリモコン１４からの指令信号に応じてハードディスクレコーダ４を動作させてユーザが選んだ番組の信号を信号処理部３により伸長処理させた上でモニタ装置１１へ映像・音声信号として出力させる。
【００２４】
また、ユーザがリエンコードダビングを選択してダビング操作を行うときには、マイクロプロセッサ１２は、リモコン１４からの指令信号に応じてハードディスクレコーダ４を動作させてユーザが選んだ番組の信号を信号処理部３により再圧縮処理させて、再圧縮処理後のテレビジョン放送信号を光ディスクレコーダ５によりＤＶＤ７に記録させる。なお、ユーザが高速ダビングを選択してダビング操作を行うときには、ハードディスクレコーダ４に記録された圧縮後のテレビジョン放送信号が再圧縮されることなく光ディスクレコーダ５によりＤＶＤ７に記録される。
【００２５】
次に、ユーザが上記のようにして録画予約を行った後、ダビング操作を行ったときの録画処理手順について、図２のフローチャートを参照して説明する。マイクロプロセッサ１２は、録画予約が設定されているか否かを判定し（Ｓ１）、設定されている場合には（Ｓ１でＹＥＳ）、予約された録画開始時刻が近いか否かを判定する（Ｓ２）。具体的には、マイクロプロセッサ１２は、録画開始時刻の数秒前に到達したか否かを判定する。録画開始時刻が近いと判定したときには（Ｓ２でＹＥＳ）、信号処理部３が圧縮処理、又は再圧縮処理動作を行っているか否かを判定する（Ｓ３）。リエンコードダビングが進行中である場合には、信号処理部３が再圧縮処理の動作を行っているので、判定はＹＥＳになり、マイクロプロセッサ１２は、録画先の装置を磁気テープ録画装置６に変更する（Ｓ４）。具体的には、マイクロプロセッサ１２は、スイッチ９をＢ状態に切替える。
【００２６】
マイクロプロセッサ１２は、その後、録画開始時刻に到達したときに磁気テープ録画装置６を動作させて、受信部２からのテレビジョン放送信号を磁気テープ録画装置６により磁気テープカセット８に記録させる（Ｓ５）。Ｓ３において信号処理部３が圧縮処理、又は再圧縮処理動作中ではないと判定された場合には（Ｓ３でＮＯ）、ダビング操作がリエンコードダビングではないか、あるいはリエンコードダビングがまだ開始されていないか、既に終了したことになり、スイッチ９がＡ状態のままで受信部２からのテレビジョン放送信号が圧縮処理されてハードディスクレコーダ４（のハードディスク）に記録される（Ｓ５）。
【００２７】
ユーザが磁気テープ録画装置６の磁気テープカセット８に記録されたテレビジョン放送信号を番組としてモニタ装置１１で視聴するときには、ユーザは、リモコン１４を操作してマイクロプロセッサ１２から磁気テープ録画装置６へ再生動作信号を送信させ、磁気テープ録画装置６を再生動作させる。
【００２８】
なお、本予約録画装置１では、外部入力端子１５が備えられ、例えば、外部に接続された光ディスクレコーダ等の別の録画装置１６からの映像・音声信号を信号処理部３により圧縮処理してハードディスクレコーダ４（のハードディスク）に記録できるようになっている。ユーザがリエンコードダビングすることに代えて上記外部入力によるハードディスクレコーダ４への記録を行い、その記録操作が録画予約時間と重なったときにも同様の問題が生じるが、上記録画処理手順により対応することができる。
【００２９】
具体的には、マイクロプロセッサ１２は、上記Ｓ３において、信号処理部３が圧縮処理、又は再圧縮処理動作を行っているか否かを判定するので、ユーザが外部入力によるハードディスクレコーダ４への記録操作を行った場合には、信号処理部３が圧縮処理動作を行うことからＳ３における判定はＹＥＳになり、スイッチ９をＢ状態へ切替えて受信部２からのテレビジョン放送信号を磁気テープ録画装置６により磁気テープカセット８へ記録させる。
【００３０】
これにより、ユーザが任意の時間に外部入力によるハードディスクレコーダ４への記録を行うときに、偶然、予約録画の時間と重なることによって予約録画がキャンセルされてしまう不具合を回避することができる。
【００３１】
以上のように、本予約録画装置１では、予約録画が開始される前に信号処理部３が処理動作中であるか否かを判定し、処理動作中である場合には録画先の装置を磁気テープ録画装置６へ変更するので、ユーザによるダビング作業（又は外部入力による録画作業）と録画予約時間とが偶然重なって、録画予約の開始時に信号処理部３によるテレビジョン放送信号の圧縮処理が行えない状態であっても、予約された番組を支障なく録画することができる。
【００３２】
なお、上記予約録画装置１の構成とは逆に、圧縮処理されたテレビジョン放送信号が記録される第１の録画装置が光ディスクレコーダであり、再圧縮処理されたテレビジョン放送信号が記録される第２の録画装置がハードディスクレコーダであってもよい。また、録画先の装置が変更されて予約された番組が磁気テープ録画装置６により磁気テープカセット８に記録された場合には、その旨をユーザに知らせるメッセージをモニタ装置１１に表示するようにしてもよい。
【符号の説明】
【００３３】
１  予約録画装置
３  信号処理部
４  ハードディスクレコーダ（第１の録画装置）
５  光ディスクレコーダ（第２の録画装置）
６  磁気テープ録画装置（第３の録画装置）
１２  マイクロプロセッサ（予約録画実行手段、判定手段、録画先変更手段）
【図１】
2010268317.tif 000003
【図２】
2010268317.tif 000004